(57)【要約】【課題】  ブルートゥース認識機能を具えた自動車盗難防止装置の提供。【解決手段】  車両搭載盗難防止機、車両搭載ブルートゥースモジュール、及びブルートゥースモバイル端末機を具え、使用者が車両を離れる時に所定距離を設定し、車両搭載ブルートゥースモジュールがブルートゥースモバイル端末機と通信不能となると、即時盗難防止監視設定に進入し、所定の時間の後、使用者が車両に設定した所定距離内に進入すると、車両搭載ブルートゥースモジュールとブルートゥースモバイル端末機がオンライン認証してエラー無しと確認した後、盗難防止設定を解除する。車両に異常状況が発生すると、車両搭載盗難防止機が検出器による検出により警報信号を警報装置に送ると共に無線通信装置を通して警報情報を車の所有者に送り、車の所有者に車両に異常が発生したことを通知する。【選択図】        図２
0003105131.tif 000002
【実用新案登録請求の範囲】
【請求項１】
ブルートゥース認識機能を具えた自動車盗難防止装置において、該自動車盗難防止装置は、車両搭載盗難防止機、車両搭載ブルートゥースモジュール、ブルートゥースモバイル端末機を具え、
該車両搭載盗難防止機は、車両に組付けられ、並びに少なくとも一つの検出器と少なくとも一つの警報装置に電気的に接続され、該少なくとも一つの検出器が車両の対応する所定位置に設置され、並びに対応する異常信号Ｓを送出し、該車両搭載盗難防止機が少なくとも一つの検出器の送出した対応する異常信号Ｓを受け取る時、車両搭載盗難防止機が少なくとも一つの警報装置を制御して警報Ａを発生させ、
該車両搭載ブルートゥースモジュールは、車両に組付けられ、並びに該車両搭載盗難防止機に電気的に接続され、該車両搭載ブルートゥースモジュールはその通信半径ｒ１内に存在するその他のブルートゥースモジュールを主動検出し、並びに該車両搭載ブルートゥースモジュールがビルトインオンライン認証コードをその他のブルートゥースモジュールのものと対比し、認証成功後に、相互のオンラインを達成し、該車両搭載ブルートゥースモジュールの通信半径が該車両の車体外部範囲に達し、
該ブルートゥースモバイル端末機は、その通信半径内に存在するその他のブルートゥースモジュールを主動検出し、並びに該ブルートゥースモバイル端末機がそのビルトインオンライン認証コードをその他のブルートゥースモジュールのものと対比し、認証成功後に、相互のオンラインを達成し、
該車両搭載ブルートゥースモジュール及びブルートゥースモバイル端末機の、ビルトインオンライン認証コードの相互対比認証成功時に、車両搭載ブルートゥースモジュールが盗難防止解除信号Ｒを車両搭載盗難防止機に送りその盗難防止設定を解除させることを特徴とする、ブルートゥース認識機能を具えた自動車盗難防止装置。
【請求項２】
請求項１記載のブルートゥース認識機能を具えた自動車盗難防止装置において、車両搭載盗難防止機が車内確認装置とタイマーを具え、該車内確認装置が確認信号を入力し、且つ車両搭載盗難防止機が該タイマーの計時を通して、所定時間内に車内確認装置の送出した確認信号を受け取らない時、該車内確認装置がその盗難防止設定を再起動することを特徴とする、ブルートゥース認識機能を具えた自動車盗難防止装置。
【請求項３】
請求項２記載のブルートゥース認識機能を具えた自動車盗難防止装置において、車内確認装置が確認ボタンとされたことを特徴とする、ブルートゥース認識機能を具えた自動車盗難防止装置。
【請求項４】
請求項１記載のブルートゥース認識機能を具えた自動車盗難防止装置において、ブルートゥースモバイル端末機がブルートゥース携帯電話とされたことを特徴とする、ブルートゥース認識機能を具えた自動車盗難防止装置。
【請求項５】
請求項１記載のブルートゥース認識機能を具えた自動車盗難防止装置において、少なくとも一つの警報装置が無線で車の所有者の指定する通信アドレスにオンラインできる無線通信装置とされたことを特徴とする、ブルートゥース認識機能を具えた自動車盗難防止装置。
【考案の詳細な説明】
【技術分野】
【０００１】
本考案は一種の自動車盗難防止装置であり、特にブルートゥース認識機能を具えた自動車盗難防止装置に関する。
【背景技術】
【０００２】
周知の車の所有者は愛車が盗難に遇ったり或いは意外な状況が発生するのを防止するため、通常、自動車用盗難防止装置を取り付けて、車の所有者が乗車していない時も、盗難防止装置を起動して各種検出器を利用して異常状況を検出できるようにしている。
【０００３】
これにより、車両に異常が発生する時、例えば車両に侵入があった場合、検出器が感知し並びに自動車盗難防止装置をトリガする。伝統的な自動車盗難防止装置のほとんどは耳をつんざく警報音により人の注目を集めると共に、泥棒を威嚇したり、或いは車の所有者が警報音を聴いて迅速に車の停車場所に引き返して異常状況を確認できるようにしている。
【０００４】
しかし、伝統的な自動車盗難防止装置の警報機能は有効に泥棒に対する威嚇を行なえるが、警報音の及ぶ範囲は有限であり、車の所有者が警報音を聴くことができない場合、対策時機を逃すことがよくある。このほか、愛車が牽引される時、自動車盗難防止装置が不断に鳴り響き、遠方にいる車の所有者が車両の異常状況に気づかないだけでなく、或いは追跡できず、車の所有者が車の停車場所に戻ってはじめて車が牽引されたことに気づく場合が多い。このような状況はいずれも周知の自動車盗難防止装置が車の所有者に主動通告する機能を具備しないためであり、このため周知の自動車盗難防止装置は車両の安全を万全に保証できず、また即時車の所有者に異常を通知できず、周囲に対して騒音問題を発生するため、理想的でない。
【考案の開示】
【考案が解決しようとする課題】
【０００５】
本考案の主要な目的は、一種のブルートゥース認識機能を具えた自動車盗難防止装置を提供することにあり、それは通信半径内に存在する他のブルートゥースモジュールを主動検出し、並びにオンラインでＩＤナンバーを対比認証し、車両の盗難防止設定を解除するか否かを判断するものとする。
【０００６】
本考案の別の目的は、一種のブルートゥース認識機能を具えた自動車盗難防止装置を提供することにあり、それは車両に異常状況が発生した時に、車の所有者に主動通知して車の所有者に車両の状況をリアルタイムで掌握させることができるものとする。
【課題を解決するための手段】
【０００７】
請求項１の考案は、ブルートゥース認識機能を具えた自動車盗難防止装置において、該自動車盗難防止装置は、車両搭載盗難防止機、車両搭載ブルートゥースモジュール、ブルートゥースモバイル端末機を具え、
該車両搭載盗難防止機は、車両に組付けられ、並びに少なくとも一つの検出器と少なくとも一つの警報装置に電気的に接続され、該少なくとも一つの検出器が車両の対応する所定位置に設置され、並びに対応する異常信号Ｓを送出し、該車両搭載盗難防止機が少なくとも一つの検出器の送出した対応する異常信号Ｓを受け取る時、車両搭載盗難防止機が少なくとも一つの警報装置を制御して警報Ａを発生させ、
該車両搭載ブルートゥースモジュールは、車両に組付けられ、並びに該車両搭載盗難防止機に電気的に接続され、該車両搭載ブルートゥースモジュールはその通信半径ｒ１内に存在するその他のブルートゥースモジュールを主動検出し、並びに該車両搭載ブルートゥースモジュールがビルトインオンライン認証コードをその他のブルートゥースモジュールのものと対比し、認証成功後に、相互のオンラインを達成し、該車両搭載ブルートゥースモジュールの通信半径が該車両の車体外部範囲に達し、
該ブルートゥースモバイル端末機は、その通信半径内に存在するその他のブルートゥースモジュールを主動検出し、並びに該ブルートゥースモバイル端末機がそのビルトインオンライン認証コードをその他のブルートゥースモジュールのものと対比し、認証成功後に、相互のオンラインを達成し、
該車両搭載ブルートゥースモジュール及びブルートゥースモバイル端末機の、ビルトインオンライン認証コードの相互対比認証成功時に、車両搭載ブルートゥースモジュールが盗難防止解除信号Ｒを車両搭載盗難防止機に送りその盗難防止設定を解除させることを特徴とする、ブルートゥース認識機能を具えた自動車盗難防止装置としている。
請求項２の考案は、請求項１記載のブルートゥース認識機能を具えた自動車盗難防止装置において、車両搭載盗難防止機が車内確認装置とタイマーを具え、該車内確認装置が確認信号を入力し、且つ車両搭載盗難防止機が該タイマーの計時を通して、所定時間内に車内確認装置の送出した確認信号を受け取らない時、該車内確認装置がその盗難防止設定を再起動することを特徴とする、ブルートゥース認識機能を具えた自動車盗難防止装置としている。
請求項３の考案は、請求項２記載のブルートゥース認識機能を具えた自動車盗難防止装置において、車内確認装置が確認ボタンとされたことを特徴とする、ブルートゥース認識機能を具えた自動車盗難防止装置としている。
請求項４の考案は、請求項１記載のブルートゥース認識機能を具えた自動車盗難防止装置において、ブルートゥースモバイル端末機がブルートゥース携帯電話とされたことを特徴とする、ブルートゥース認識機能を具えた自動車盗難防止装置としている。
請求項５の考案は、請求項１記載のブルートゥース認識機能を具えた自動車盗難防止装置において、少なくとも一つの警報装置が無線で車の所有者の指定する通信アドレスにオンラインできる無線通信装置とされたことを特徴とする、ブルートゥース認識機能を具えた自動車盗難防止装置としている。
【考案の効果】
【０００８】
本考案のブルートゥース認識機能を具えた自動車盗難防止装置を提供することにあり、それは通信半径内に存在する他のブルートゥースモジュールを主動検出し、並びにオンライン認証コードを対比認証し、車両の盗難防止設定を解除するか否かを判断し、また、車両に異常状況が発生した時に、車の所有者に主動通知して車の所有者に車両の状況をリアルタイムで掌握させることができる。
【考案を実施するための最良の形態】
【０００９】
本考案のブルートゥース認識機能を具えた自動車盗難防止装置は車両搭載盗難防止機、車両搭載ブルートゥースモジュール、ブルートゥースモバイル端末機を具えている。そのうち、車両搭載盗難防止機は車両に組付けられ、並びに少なくとも一つの検出器と少なくとも一つの警報装置に電気的に接続され、該検出器は車両の所定位置に組付けられ、前述の車両の盗難防止設定後に、その対応する所定位置に異常状況が発生した時、対応する異常信号Ｓを送出し、自動車盗難防止装置は少なくとも一つの検出器の送る異常信号を受け取ると、少なくとも一つの警報装置を制御して警報Ａを発生させる。
【００１０】
本考案の車両搭載ブルートゥースモジュールも車両に組付けられ、並びに電気的に前述の車両搭載盗難防止機に接続され、該車両搭載ブルートゥースモジュールはその通信半径ｒ１内に存在するその他のブルートゥースモジュールを主動検出し、並びに車両搭載ブルートゥースモジュールのビルトインオンライン認証コードをその他のブルートゥースモジュールのものと対比し、認証成功後に、相互のオンラインを達成し、前述の車両搭載ブルートゥースモジュールの通信半径は前述の車両の車体外部半径に達する。
【００１１】
前述のブルートゥースモバイル端末機は、その通信半径内に存在するその他のブルートゥースモジュールを主動検出し、並びにブルートゥースモバイル端末機のビルトインオンライン認証コードをその他のブルートゥースモジュールのものと対比し、認証成功後に、相互のオンラインを達成する。
【００１２】
前述の車両搭載ブルートゥースモジュールとブルートゥースモバイル端末機はそれにビルトインされたオンライン認証コードの対比認証成功時に、車両搭載ブルートゥースモジュールが盗難防止解除信号Ｒを車両搭載盗難防止機に伝送し、その盗難防止設定を解除させる。
【実施例１】
【００１３】
図１の本実施例の操作環境表示図、及び、図２の本実施例の機能ブロック図を参照されたい。本実施例のブルートゥース認識機能を具えた自動車盗難防止装置は車両９０に搭載され、且つ車両搭載盗難防止機１０、車両搭載ブルートゥースモジュール１２及びブルートゥースモバイル端末機２０を具えている。そのうち、車両搭載盗難防止機１０と車両搭載ブルートゥースモジュール１２は相互に電気的に接続されている。
【００１４】
上述の車両搭載盗難防止機１０はまた少なくとも一つの検出器１３１、１３２、１３３及び警報装置１４に電気的に接続され、該検出器１３１、１３２、１３３はドア検出器、鍵穴開閉検出器、或いはトランク開閉検出器等関係する盗難防止装置とされ得る。車両９０の盗難防止設定後、対応する所定位置に異常状況が発生し、例えば、車両９０のドアが異常開放されたり或いは鍵穴に盗難防止設定未解除の状態で鍵が異常挿入された場合、検出器が異常信号Ｓを車両搭載盗難防止機１０に送り、車両搭載盗難防止機１０が警報装置１４を制御し警報Ａを発生させて車両１００の所有者に車両１００に異常状況が発生したことを通知する。前述の車両搭載盗難防止機１０は警報装置を制御して警報Ａを発生させるほか、警報信号を無線通信装置１１に送り、且つ無線オンラインを通して警報信号を車の所有者の指定する通信アドレスに送る。前述の無線通信装置はＧＰＲＳ携帯電話、ＧＳＭ携帯電話、ＰＤＡ等とされ得て、その伝送する警報信号はショートメッセージ、予め録音された音声、ファクシミリ送信文及び電子メール等とされうる。前述の車の所有者が指定する通信アドレスは、例えば携帯電話番号、車の所有者の家の電話番号、会社電話番号、ファクシミリ番号及び電子メールアドレスとされる。
【００１５】
その他のブルートゥースモジュールを有するブルートゥースモバイル端末機２０が車両９０に接近する時、車両搭載ブルートゥースモジュール１２は通信半径ｒ１内のその他のブルートゥースモジュールを主動検出し、並びに車両搭載ブルートゥースモジュール１２にビルトインされたオンライン認証コードをその他のブルートゥースモジュールのものと対比し、認証成功後に、相互にオンラインを達成し、且つ前述のブルートゥースモジュール１２が盗難防止解除信号Ｒを車両搭載盗難防止機１０に送り、その盗難防止設定を解除させる。そのうち、車両搭載ブルートゥースモジュール１２の通信半径は車両９０の車体外部範囲に達するものとされる。上述のブルートゥースモバイル端末機２０はブルートゥース携帯電話とされる。前述の車両搭載盗難防止機１０は盗難防止解除信号Ｒを受け取った後、車内盗難防止設定を解除するほか、車両９０のロック設定を解除する。
【００１６】
本実施例中、図３に示されるように、前述の車両搭載盗難防止機１０は更に車内確認装置１５と、タイマー１６を具え、該車内確認装置１５は車の所有者が確認信号Ｃを入力することにより、車両搭載盗難防止機１０に盗難防止設定解除を確認させ、且つ前述の車両搭載盗難防止機１０は該タイマー１６を通して計時を行ない、所定の時間内に車内確認装置１５が押されず車両搭載盗難防止機１０が車内確認装置１５の送る確認信号Ｃを受け取らない時、車内確認装置１５がその盗難防止再設定起動信号を車両搭載盗難防止機１０に送り、盗難防止設定を再起動する。前述の車内確認装置は確認ボタンとされ、ダッシュボード或いはハンドル等の適当な位置に設置され、且つこの確認装置は本実施例のようにボタンとされるほか、入力キーボードのＰＩＮコードとされるか、或いはチップキーの感応コード等の関係設備とされうる。
【００１７】
本実施例では、ブルートゥース認識機能を具えた自動車盗難防止装置は更に予備電池３０を具備しうる。それは車両搭載盗難防止機１０と車両搭載ブルートゥースモジュール１２に電気的に接続され、それらの電力が消耗した時、電力を提供してブルートゥース認識機能を具えた自動車盗難防止装置の動作を継続させる。
【００１８】
以上の実施例は本考案の権利請求範囲を限定するものではなく、以上の説明及び図面の記載に基づきなしうる細部の修飾或いは改変はいずれも本考案の権利請求範囲に属するものとする。
【図面の簡単な説明】
【００１９】
【図１】本考案の実施例の操作環境表示図である。
【図２】本考案の実施例のシステム機能ブロック図である。
【図３】本考案の実施例の確認ボタン表示図である。
【符号の説明】
【００２０】
９０  車両                １０  車両搭載盗難防止機
１１  無線通信装置        １３１、１３２、１３３  検出器
１２  車両搭載ブルートゥースモジュール
１４  警報装置            １５  確認ボタン
１６  タイマー            ２０  ブルートゥースモバイル端末機
３０  予備電池
【図１】
0003105131.tif 000003
【図２】
0003105131.tif 000004
【図３】
0003105131.tif 000005